(57)【要約】【課題】  一つの液晶表示装置の表裏両面に画像を表示する両面画像表示装置において一方の面に画像を表示している時に他方の面の画像が透けて見えないようにすること。【解決手段】  画像部（１０）と入力操作部（２０）がヒンジ部（３０）を介して折り畳み可能な折り畳み式携帯電話（１）の液晶表示装置（１３）は第１、２表示面（１３ａ、１３ｂ）の両方に画像を表示できる。導光板（１６）と第２表示窓（１２）の間に不透明な遮蔽シート（４０）が配設され、その一方の端部（４１）がヒンジ（３０）の第２ヒンジ部材材（３２）に固定されている。画像部と入力操作部を開いた場合は遮蔽シートは第２表示窓を遮蔽し第１表示面の画像は見えるが第２表示面の画像は見えない。折り畳んだ場合は遮蔽シートは巻き取られ第２表示窓は遮蔽されず第２表示面の画像は見え第１表示窓は入力操作部により蓋われて第１表示面の画像は見えない。【選択図】      図１
2006053462.tif 000002
【特許請求の範囲】
【請求項１】
互いに表裏関係にある第１表示面と第２表示面を有し、その両方に画像を表示可能な液晶表示装置を有する両面画像表示装置であって、
第１表示面を遮蔽可能な第１遮蔽手段および第２表示面を遮蔽可能な第２遮蔽手段とを具備し、
第１遮蔽手段が第１表示面を遮蔽するときには第２遮蔽手段が第２表示面を遮蔽せず、第１遮蔽手段が第１表示面を遮蔽しないときには第２遮蔽手段が第２表示面を遮蔽するように、第１遮蔽手段と第２遮蔽手段が連動せしめられる、
ことを特徴とする両面画像表示装置。
【請求項２】
第１遮蔽手段と第２遮蔽手段の、一方、または、両方が、光の通過を遮断する光遮断部材を移動せしめて成る、ことを特徴とする請求項１に記載の両面画像表示装置。
【請求項３】
光遮断部材が不透明な材料から成る遮蔽シートである、ことを特徴とする請求項２に記載の両面画像表示装置。
【請求項４】
液晶表示装置の第１表示面と第２表示面に偏光板が配設されていて、
光遮断部材が、偏光板の吸収軸と直交する軸を有する偏光シートである、ことを特徴とする請求項２に記載の両面画像表示装置。
【請求項５】
光遮断部材が直線移動せしめられる、ことを特徴とする請求項２に記載の両面画像表示装置。
【請求項６】
光遮断部材が回転移動せしめられる、ことを特徴とする請求項２に記載の両面画像表示装置。
【請求項７】
第１遮蔽手段と第２遮蔽手段の、一方、または、両方が、光遮断部材が通電の有無により透明と不透明が変化する調光ガラスである、ことを特徴とする請求項１に記載の両面画像表示装置。
【請求項８】
両面画像表示装置が、画像部と入力操作部がヒンジ部を介して折り畳み可能に結合されている折り畳み式携帯電話の画像部に設けられている、ことを特徴とする請求項１に記載の両面画像表示装置。
【請求項９】
第１遮蔽手段と第２遮蔽手段の一方が、折り畳み時に画像部の一方の面を覆う入力操作部である、ことを特徴とする請求項８に記載の両面画像表示装置。
【請求項１０】
ヒンジ部にヒンジ機構を利用して第１遮蔽手段と第２遮蔽手段とを連動せしめる連動手段が設けられている、ことを特徴とする請求項８に記載の両面画像表示装置。
【請求項１１】
両面画像表示装置が、画像部と入力操作部が折り畳み不能に結合されているバータイプの携帯電話の画像部に設けられている、ことを特徴とする請求項１に記載の両面画像表示装置。
【請求項１２】
第１遮蔽手段と第２遮蔽手段が共通の遮蔽手段で形成され、共通の遮蔽手段が移動手段により移動せしめられる、ことを特徴とする請求項１に記載の両面画像表示装置。
【請求項１３】
移動手段が使用者により手動で駆動される、ことを特徴とする請求項１２に記載の両面画像表示装置。
【請求項１４】
移動手段が電動モータで駆動される、ことを特徴とする請求項１２に記載の両面画像表示装置。
【請求項１５】
液晶表示装置の第１表示面と第２表示面の外側の外表面にそれぞれ表面保護部材から成る表示窓が設けられている、ことを特徴とする請求項１に記載の両面画像表示装置。
【請求項１６】
第１遮蔽手段と第２遮蔽手段の一方、または、両方が、液晶表示装置の第１表示面と第２表示面と表示窓の間に配設されている、ことを特徴とする請求項１５に記載の両面画像表示装置。
【請求項１７】
第１遮蔽手段と第２遮蔽手段の一方、または、両方が、表示窓の外側に配設されている、ことを特徴とする請求項１５に記載の両面画像表示装置。
【発明の詳細な説明】
【技術分野】
【０００１】
本発明は両面画像表示装置、特に一つの液晶表示装置の表裏両面に画像を表示する両面画像表示装置に関する。
【背景技術】
【０００２】
液晶表示装置を使用して表裏両面に画像を表示する両面画像表示装置がある。例えば、携帯電話で使用されているものがあるが、これは２つの液晶表示装置を使用するものである。しかし、２つの液晶表示装置を使用すると、部品点数が多く、コストが高く、スペース的にも問題がる。そこで、一つの液晶表示装置の表裏両面に画像を表示する両面画像表示装置の開発が進められている。
このような一つの液晶表示装置の表裏両面に画像を表示する両面画像表示装置では一方の面に画像を表示している時に他方の面の画像が透けて見え、使用者が他人に見せたくない画像が他人に見られる可能性がある、という問題がある。
【発明の開示】
【発明が解決しようとする課題】
【０００３】
本発明は上記問題に鑑み、一つの液晶表示装置の表裏両面に画像を表示する両面画像表示装置において一方の面に画像を表示している時に他方の面の画像が透けて見えないようにすることを目的とする。
【課題を解決するための手段】
【０００４】
請求項１の発明によれば、互いに表裏関係にある第１表示面と第２表示面を有し、その両方に画像を表示可能な液晶表示装置を有する両面画像表示装置であって、第１表示面を遮蔽可能な第１遮蔽手段および第２表示面を遮蔽可能な第２遮蔽手段とを具備し、第１遮蔽手段が第１表示面を遮蔽するときには第２遮蔽手段が第２表示面を遮蔽せず、第１遮蔽手段が第１表示面を遮蔽しないときには第２遮蔽手段が第２表示面を遮蔽するように、第１遮蔽手段と第２遮蔽手段が連動せしめられる、両面画像表示装置が提供される。
このように構成される両面画像表示装置では、液晶表示装置のいずれも画像を表示可能な第１表示面と第２表示面が、互いに連動する第１遮蔽手段と第２遮蔽手段で、第１遮蔽手段が第１表示面を遮蔽するときには第２遮蔽手段が第２表示面を遮蔽せず、第１遮蔽手段が第１表示面を遮蔽しないときには第２遮蔽手段が第２表示面を遮蔽するように、一方が遮蔽される。
【０００５】
請求項２の発明によれば、請求項１の発明において、第１遮蔽手段と第２遮蔽手段の、一方、または、両方が、光の通過を遮断する光遮断部材を移動せしめて成る、両面画像表示装置が提供される。
【０００６】
請求項３の発明によれば、請求項２の発明において、光遮断部材が不透明な材料から成る遮蔽シートとされている両面画像表示装置が提供される。
【０００７】
請求項４の発明によれば、請求項２の発明において、液晶表示装置の第１表示面と第２表示面に偏光板が配設されていて、光遮断部材が、偏光板の吸収軸と直交する軸を有する偏光シートとされている両面画像表示装置が提供される。
【０００８】
請求項５の発明によれば、請求項２の発明において、光遮断部材を直線移動する、ようにされている両面画像表示装置が提供される。
【０００９】
請求項６の発明によれば、請求項２の発明において、光遮断部材を回転移動する、ようにされている両面画像表示装置が提供される。
【００１０】
請求項７の発明によれば、請求項１の発明において、第１遮蔽手段と第２遮蔽手段の、一方、または、両方が、光遮断部材が通電の有無により透明と不透明が変化する調光ガラスにされている両面画像表示装置が提供される。
【００１１】
請求項８の発明によれば、請求項１の発明において、両面画像表示装置が、画像部と入力操作部がヒンジ部を介して折り畳み可能に結合されている折り畳み式携帯電話の画像部に設けられている、両面画像表示装置が提供される。
【００１２】
請求項９の発明によれば、請求項８の発明において、第１遮蔽手段と第２遮蔽手段の一方が、折り畳み時に画像部の一方の面を覆う入力操作部とされている両面画像表示装置が提供される。
【００１３】
請求項１０の発明によれば、請求項８の発明において、ヒンジ部にヒンジ機構を利用して第１遮蔽手段と第２遮蔽手段とを連動せしめる連動手段が設けられている、両面画像表示装置が提供される。
【００１４】
請求項１１の発明によれば、請求項１の発明において、両面画像表示装置が、画像部と入力操作部が折り畳み不能に結合されているバータイプの携帯電話の画像部に設けられている、両面画像表示装置が提供される。
【００１５】
請求項１２の発明によれば、請求項１の発明において、第１遮蔽手段と第２遮蔽手段が共通の遮蔽手段で形成され、共通の遮蔽手段が移動手段により移動せしめられる、ようにされている両面画像表示装置が提供される。
【００１６】
請求項１３の発明によれば、請求項１２の発明において、移動手段が使用者により手動で駆動される、ようにされている両面画像表示装置が提供される。
【００１７】
請求項１４の発明によれば、請求項１２の発明において、移動手段が電動モータで駆動される、ようにされている両面画像表示装置が提供される。
【００１８】
請求項１５の発明によれば、請求項１の発明において、液晶表示装置の第１表示面と第２表示面の外側の外表面にそれぞれ表面保護部材から成る表示窓が設けられている、両面画像表示装置が提供される。
【００１９】
請求項１６の発明によれば、請求項１５の発明において、第１遮蔽手段と第２遮蔽手段の一方、または、両方が、液晶表示装置の第１表示面と第２表示面と表示窓の間に配設されている、両面画像表示装置が提供される。
【００２０】
請求項１７の発明によれば、請求項１５の発明において、第１遮蔽手段と第２遮蔽手段の一方、または、両方が、表示窓の外側に配設されている、両面画像表示装置が提供される。
【発明の効果】
【００２１】
各請求項に記載の発明は、互いに表裏関係にある第１表示面と第２表示面を有し、その両方に画像を表示可能な液晶表示装置を有する両面画像表示装置であるが、第１表示面を遮蔽可能な第１遮蔽手段および第２表示面を遮蔽可能な第２遮蔽手段とを具備し、第１遮蔽手段が第１表示面を遮蔽するときには第２遮蔽手段が第２表示面を遮蔽せず、第１遮蔽手段が第１表示面を遮蔽しないときには第２遮蔽手段が第２表示面を遮蔽するように、第１遮蔽手段と第２遮蔽手段が連動せしめられる。
したがって、第１表示面が遮蔽されないときには第２表示面が遮蔽され、第２遮蔽手段が遮蔽されないときには第１表示面を遮蔽され、一方の表示面のみが見えるようにされるので、一方の表示面に他方の表示面の画像が見えることがない。
【００２２】
請求項８〜１０の発明では折り畳み式携帯電話に適用されるが、特に、請求項９の発明では、第１遮蔽手段と第２遮蔽手段の一方が、折り畳み時に画像部の一方の面を覆う入力操作部とされ、折り畳み式携帯電話の基本構造を利用することができる。特に、請求項１０の発明では、ヒンジ部のヒンジ機構を利用して第１遮蔽手段と第２遮蔽手段とを連動せしめる連動手段を設けられておりヒンジ部を友好活用できる。
特に、請求項１１の発明ではバータイプの携帯電話の画像部に適用される。
【００２３】
請求項１２〜１４の発明では、第１遮蔽手段と第２遮蔽手段が共通の遮蔽手段で形成され、共通の遮蔽手段が移動手段により移動せしめられるので遮蔽効果が同じである。特に、請求項１３の発明では、第１遮蔽手段と第２２遮蔽手段を手動で駆動することができる。
特に、請求項１７の発明によれば、第１遮蔽手段と第２遮蔽手段の一方、または、両方が、表示窓の外側に配設され、設計自由度が大きい。
【発明を実施するための最良の形態】
【００２４】
以下、添付の図面を参照して本発明の実施の形態を説明する。
図１の（Ａ）、（Ｂ）は本発明の第１の実施の形態としての折り畳み式携帯電話１を示している。折り畳み式携帯電話１は画像部１０と入力操作部２０を有している。画像部１０の第１面１０ａの中央領域には透明な保護板が嵌められた第１表示窓１１が、第２面１０ｂの中央領域には透明な保護板が嵌められた第２表示窓１２が設けられている。
【００２５】
第１表示窓１１と第２表示窓１２の間には液晶表示装置１３と導光板１６が、液晶表示装置１３が第１表示窓１１に近く、導光板１６が第２表示窓１２に近くなるようにして配設されている。液晶表示装置１３の第１面側の第１表示面１３ａには第１偏光板１４、第２面側の第２表示面１３ｂには第２偏光板１５が付設されている。導光板１６の一方の端部には光源ユニット１７が取り付られている。光源ユニット１７は棒状のライトガイドパイプの一方または両方の端部にＬＥＤ（発行ダイオード）を取り付けて成る。
【００２６】
液晶表示装置１３は第１表示面１３ａと第２表示面１３ｂの両方に画像を表示することができるものである。
第１表示面１３ａに形成される画像は光源ユニット１７から導光板１６に入り、例えば、導光板１６の（携帯電話１の画像部１０の）第１面１０ａの側の内面で反射して液晶表示装置１３に入射した光で照射され可視化される。
また、第２表示面１３ｂに形成される画像は光源ユニット１７から導光板１６に入り、例えば、導光板１６の（携帯電話１の画像部１０の）第１面１０ａの側の内面で反射し、導光板１６の第２面１０ｂの側の内面で反射し、液晶表示装置１３に入射し、液晶表示装置１３の第１表示面１３ａの内面で反射した光で照射され可視化される。
【００２７】
画像部１０はヒンジ部３０を介して入力操作部２０と回動可能に結合されている。ヒンジ部は画像部１０に固定されている第１ヒンジ部材３１と入力操作部２０に固定されている第２部ヒンジ部材３２を有し、第１ヒンジ部材３１と第２ヒンジ部材３２が互いに対して回動する。入力操作部２０の第１面２０ａには図示しないが入力用のキーが配列されており、第２面２０ｂは外部面上に置かれる場合に外部面に安定的に置けるように平らに形成されている。
【００２８】
そして、この第１の実施の形態では、導光板１６と第２表示窓１２の間に遮蔽シート４０が配設されている。遮蔽シート４０は一方の端部４１がヒンジ３０の第２ヒンジ部材材３２に固定されている。遮蔽シート４０は、白色、灰色、黒色等の画像を透過させず、かつ、第１面側の画像へ影響を与えない可撓性の材料で形成されている。
【００２９】
図１の（Ａ）のように画像部１０と入力操作部２０を互いに対して開いた場合は遮蔽シート４０は第２表示窓１２を遮蔽する。したがって、第１表示面１３ａの画像は見えるが第２表示面１３ｂの画像は見えない。
一方、図１の（Ｂ）のように画像部１０と入力操作部２０を互いに対して閉じた場合には遮蔽シート４０はヒンジ部３０の内部で巻き取られ、第２表示窓１２は遮蔽されない。したがって、第２表示面１３ｂの画像は見える。一方、第１表示窓１１は携帯電話１の入力操作部２０により蓋われて第１表示面１３ａの画像は見えない。
【００３０】
次に第２の実施の形態について説明する。
第２の実施の形態は第１の実施の形態の遮蔽シート４０の代わりに偏光シート５０を移動せしめるものである。移動の方法は第１の実施の形態と同じであるので説明は省略する。偏光シート５０の吸収軸は液晶表示装置１３の第２偏光板１５の吸収軸に直交するものとされている。
【００３１】
図２の（Ａ）は携帯電話１を開いた場合の偏光シート５０と液晶表示装置１３の第２偏光板１５と第２表示窓１２の関係を示す図である。
液晶表示装置１３の第２偏光板１５が、例えば、破線ハッチングと同様に図中右下さがりの吸収軸を有する場合には、偏光シート５０は実線ハッチングと同様に図中左下さがりの吸収軸を有するようにされており、両者の吸収軸は直交している。このように偏光シート５０と液晶表示装置１３の第２偏光板１５が重複しているところでは所謂直交ニコル状態となり第２表示窓１２から第２表示面１３ｂの画像は見えない。
【００３２】
図２の（Ｂ）は図１の（Ｂ）のように携帯電話１を閉じた（折り畳んだ）場合の偏光シート５０と液晶表示装置１３の第２偏光板１５と第２表示窓１２の関係を示す図である。第１表示窓１１は携帯電話１の入力操作部２０により蓋われて第１表示面１３ａの画像をみることができないが、第２表示窓１２は偏光シート５０と液晶表示装置１３の第２偏光板１５が重複していないので第２表示窓１２から第２表示面１３ａの画像を見ることができる。
【００３３】
次に第３の実施の形態を説明する。
第３の実施の形態は、第２の実施の形態と同様に、偏光シートを用いるが、第２の実施の形態のように偏光シートを直線的に動かすのではなくて回転させるものである。
図３の（Ａ）、（Ｂ）がこの第３の実施の形態を説明する図である。図中参照符号５０’で示されるのが偏光シートである。偏光シート５０’の回転は偏光シート５０’の一部をピアノ線のような可撓性のある線材を介してヒンジ部３０の第２ヒンジ部材３２に取付け開閉に伴う第２ヒンジ部材３２の第１ヒンジ部材３１（画像部１０と一体）に対する動きによりおこなう。
【００３４】
図３の（Ａ）は携帯電話１を開いた場合の偏光シート５０’と液晶表示装置１３の第２偏光板１５と第２表示窓１２の関係を示す図である。図示されるように第２表示窓１２と重複するように偏光シート５０’が回転中心５１’の回りを回動せしめられている。そして、この状態で偏光シート５０’の吸収軸と液晶表示装置１３の第２偏光板１５の吸収軸が直交するように偏光シート５０’が形成され取付けられており、第２表示窓１２から第２表示面１３ｂの画像を見ることはできない。
【００３５】
図３の（Ｂ）は図１の（Ｂ）のように携帯電話１を閉じた（折り畳んだ）場合の偏光シート５０’と液晶表示装置１３の第２偏光板１５と第２表示窓１２の関係を示す図である。第１表示窓１１は携帯電話１の入力操作部２０により蓋われ第１表示面１３ａの画像をみることができないが、第２表示窓１２は偏光シート５０と液晶表示装置１３の第２偏光板１５が重複していないので第２表示窓１２から第２表示面１３ｂの画像を見ることができる。
【００３６】
次に第４の実施の形態を説明する。
第４の実施の形態も、第３の実施の形態と同様に、偏光シートを回転させるものであるが、偏光シートは第２表示窓１２を覆い得る大きさの円形のものとされ、これを回動可能に保持し、第２表示窓１２の中心点位置を中心として回転させるようにされている。
図４の（Ａ）、（Ｂ）がこの第４の実施の形態を説明する図である。図中参照符号５０”で示されるのが偏光シートである。偏光シート５０”の回転は第３の実施の形態と同様にしておこなわれる。
【００３７】
次に、第５の実施の形態について説明する。
この第５の実施の形態は通電すると色が変わる調光ガラスを用いたものである。
図５の（Ａ）、（Ｂ）が第５の実施の形態を説明する図であって、第２表示窓１２と導光板１６の間に調光ガラス６０が配設されている。調光ガラス６０はヒンジ部３０内に内蔵されたスイッチ６１を介して電池６２と接続されている。携帯電話１を開いた場合にはスイッチはＯＮとされて調光ガラス６０は黒、または、乳白色に変色し第２表示面１３ｂの画像が見えないようにする。一方、携帯電話１を閉じた場合にはスイッチはＯＦＦとされて調光ガラス５０は透明となり第２表示窓１２から第２表示面１３ｂの画像を見ることができる。なお、スイッチ６１を開、閉（折り畳み）に伴って自動的にＯＮ，ＯＦＦさせるだけでなく手動でもＯＮ，ＯＦＦできるようにすればより好ましい。
【００３８】
次に、第６の実施の形態について説明する。
この第６の実施の形態は携帯電話２は画像部１０と入力操作部２０が真っ直ぐ一体に形成されているバータイプの携帯電話２に関するものである。
図６の（Ａ）、（Ｂ）が第５の実施の形態を説明する図であって、画像部１０の内部構造は第１の実施の形態と同じであるので説明は省略する。
【００３９】
そして、第５の実施の形態の特徴として、画像部１０の外側に遮蔽シート７０が取付られている。遮蔽シート７０は画像部１０の巾方向の両端に第１面１０ａから第２面１０ｂまで連続して設けられているガイドにそって手動で移動せしめられる。そのために使用者が指先を掛けることができる爪７１が設けられている。第１表示窓１１が開かれた時には第２表示窓１２が閉じられ、第２表示窓１２が開かれた時には第１表示窓１１が閉じられるようにされているので使用者が視認しているのと反対側から視認している画像の反転した画像を他人に覗きこまれることはない。
なお、電動ガイドローラを設けて、遮蔽シート７０を電力により移動させることもできる。
【００４０】
次に第７の実施の形態について説明する。この第７の実施の形態は遮蔽シート７０’を内部に設けたものである。遮蔽シート７０’はローラ７２に沿って動くようにされている。ローラ７２には外部ノブ７３が結合されており、使用者が手動で遮蔽シート７０’を移動させることができる。そして第６の実施の形態と同様に第１表示窓１１が開かれた時には第２表示窓１２が閉じられ、第２表示窓１２が開かれた時には第１表示窓１１が閉じられるようにされているので使用者が視認しているのと反対側から視認している画像の反転した画像を他人に覗きこまれることはない。
なお、ローラ７２に電動モータを取り付けて遮蔽シート７０’を電力により移動させることもできる。
【００４１】
なお、第６の実施の形態、第７の実施の形態を、折り畳み式の携帯電話に適用することも可能である。
また、最近では、画像部と入力操作部が扇子のように互いに回動する、所謂レボルバータイプのものもあるが、このタイプにも、上記の各実施の形態を、そのまま、あるいは、一部改良して適用することが可能である。
【産業上の利用可能性】
【００４２】
本発明は１つの液晶表示装置で２つの面に画像を表示する両面画像表示装置に適用できる。
特に、携帯電話に適用することに適しているが、対面接客時のディスプレイに適用することも可能である。
【図面の簡単な説明】
【００４３】
【図１】第１の実施の形態を説明する図であって、（Ａ）は第１表示面の画像を視認できるようにする場合を示している。（Ｂ）は第２表示面の画像を視認できるようにする場合を示している。
【図２】第２の実施の形態を説明する図であって、（Ａ）は第１表示面の画像を視認できるようにする場合を示している。（Ｂ）は第２表示面の画像を視認できるようにする場合を示している。
【図３】第３の実施の形態を説明する図であって、（Ａ）は第１表示面の画像を視認できるようにする場合を示している。（Ｂ）は第２表示面の画像を視認できるようにする場合を示している。
【図４】第４の実施の形態を説明する図であって、（Ａ）は第１表示面の画像を視認できるようにする場合を示している。（Ｂ）は第２表示面の画像を視認できるようにする場合を示している。
【図５】第５の実施の形態を説明する図であって、（Ａ）は第１表示面の画像を視認できるようにする場合を示している。（Ｂ）は第２表示面の画像を視認できるようにする場合を示している。
【図６】第６の実施の形態を説明する図であって、（Ａ）は第１表示面の画像を視認できるようにする場合を示している。（Ｂ）は第２表示面の画像を視認できるようにする場合を示している。
【図７】第７の実施の形態を説明する図であって、（Ａ）は第１表示面の画像を視認できるようにする場合を示している。（Ｂ）は第２表示面の画像を視認できるようにする場合を示している。
【符号の説明】
【００４４】
１    携帯電話（折り畳みタイプ）
２    携帯電話（バータイプ）
１０    画像部
１０ａ    （画像部の）第１面
１０ｂ    （画像部の）第２面
１１    第１表示窓
１２    第２表示窓
１３    液晶表示装置
１３ａ    第１表示面
１３ｂ    第２表示面
１４    第１偏光板
１５    第２偏光板
１６    導光板
１７    光源ユニット
２０    入力操作部
２０ａ    （入力操作部の）第１面
２０ｂ    （入力操作部の）第２面
３０    ヒンジ部
３１    第１ヒンジ部材
３２    第２ヒンジ部材
４０    遮蔽シート
５０、５０’、５０”    偏光シート
６０    調光ガラス
６１    スイッチ
６２    バッテリ
７０、７０’    遮蔽シート
７１    爪
７２    ローラ
７３    外部ノブ
【図１】
2006053462.tif 000003
【図２】
2006053462.tif 000004
【図３】
2006053462.tif 000005
【図４】
2006053462.tif 000006
【図５】
2006053462.tif 000007
【図６】
2006053462.tif 000008
【図７】
2006053462.tif 000009